(57)【特許請求の範囲】
【請求項１】
多層階建築物の上下階を画成する床スラブと、この床スラブの外端部に建て付けられるプレキャストコンクリート製の非耐力壁とを備える多層階建築物の構築方法であって、前記非耐力壁を、多層階建築物の階高と略等しい高さとするとともに、その高さ方向の途中に、同一階の前記床スラブを形成するための床スラブ用型枠が突き当てられてこの床スラブ用型枠の一部を構成するようにし、かつ、前記床スラブ用型枠が突き当てられる部分に、前記床スラブから上方へ突出してこの床スラブの外端部の上部を閉塞する目隠し部を形成し、この目隠し部の幅方向両端下部に、前記床スラブの下方に延びる連結壁部を形成しておき、下層階に建て付けられた前記非耐力壁の前記目隠し部の上に、上層階の非耐力壁を、前記連結壁部を介して建て付けた後に、この上層階の非耐力壁の内側で、その高さ方向の途中に、この非耐力壁を型枠の一部として上層階の床スラブ用型枠を組み上げ、この床スラブ用型枠内にコンクリートを打設して上層階の床スラブを構築することにより、前記非耐力壁の目隠し部を前記床スラブの外端部から上方に立ち上げることを特徴とする多層階建築物の構築方法。
【請求項２】
前記上層階の非耐力壁の建て付けに先立って、前記下層階の床スラブ上に、下層階の部屋を画成する耐力壁を建て付けることを特徴とする請求項１に記載の多層階建築物の構築方法。
【請求項３】
前記上層階の非耐力壁に、前記上層階の床スラブ用型枠内へ突出する接続鉄筋を設けておき、この接続鉄筋を、前記上層階の床スラブ用型枠内に打設されるコンクリート内に埋め込むことにより、前記上層階の非耐力壁と床スラブとを接合することを特徴とする請求項１または請求項２に記載の多層階建築物の構築方法。
【請求項４】
前記上下の非耐力壁同士の接合部において、これらの非耐力壁の何れか一方に、接合方向に沿う金属スリーブを埋設するとともに、この金属スリーブを前記接合部に連通させておき、他方に、前記金属スリーブ内に挿入される接続鉄筋を突設しておき、この接続鉄筋を前記金属スリーブ内に挿入した後に、この金属スリーブ内にグラウト材を充填して硬化させることにより、前記上下の非耐力壁を接合することを特徴とする請求項１ないし請求項３の何れかに記載の多層階建築物の構築方法。
【請求項５】
前記上層階の床スラブ用型枠内にコンクリートを打設するのに先立って、この上層階の床スラブ用型枠の一部を構成する上層階の非耐力壁を、その内側に位置する構造物にサポートを介して連結することを特徴とする請求項１ないし請求項４の何れかに記載の多層階建築物の構築方法。
【請求項６】
前記構造物が前記下層階の床スラブであることを特徴とする請求項５に記載の多層階建築物の構築方法。
【請求項７】
前記構造物が、前記下層階の床スラブ上に建て付けられた耐力壁であることを特徴とする請求項５に記載の多層階建築物の構築方法。
【請求項８】
前記非耐力壁が手摺りであることを特徴とする請求項１ないし請求項７の何れかに記載の多層階建築物の構築方法。
【請求項９】
多層階建築物の床スラブの外端部に建て付けられるプレキャストコンクリート製の非耐力壁であって、多層階建築物の階高と略等しい高さを有し、かつ、その高さ方向の途中に同一階の前記床スラブを形成するための床スラブ用型枠が突き当てられることにより、前記床スラブ用型枠の一部を構成するようになされているとともに、前記床スラブ用型枠が突き当てられる部分に、前記床スラブから上方へ突出してこの床スラブの外端部の上部を閉塞する目隠し部が形成され、この目隠し部の幅方向両端下部に、前記床スラブの下方に延びる連結壁部がそれぞれ形成されていることを特徴とする多層階建築物の非耐力壁。
【請求項１０】
前記連結壁部が上下方向に分割されて、上下の非耐力壁を接合する連結ブロックとなされていることを特徴とする請求項９に記載の多層階建築物の非耐力壁。
【請求項１１】
前記非耐力壁が手摺りであることを特徴とする請求項９または請求項１０の何れかに記載の多層階建築物の非耐力壁。
【発明の詳細な説明】
【０００１】
【発明の属する技術分野】
本発明は、多層階建築物の構築方法に係わり、特に、各階の床スラブの端縁にプレキャストコンクリートによって形成された手摺り等の非耐力壁が設けられた多層階建築物の構築方法に関するものである。
【０００２】
【従来の技術】
従来、床スラブの端縁に、プレキャストコンクリート製の非耐力壁が設けられた、たとえば、手摺りが設けられた多層階建築物を構築する一例として、図３２ないし図４０に示す方法が知られている（例えば、特許文献１参照）。
【０００３】
これらの図に示す多層階建築物は、最下層階の床スラブＳの下方の１階部分に、駐車場等に使用される空間部Ｐを備えた構造となっており、前記床スラブＳの両側縁部に、後述する非耐力壁としてのプレキャストコンクリート製の手摺りが設けられ、これらの床スラブＳや手摺りが多層状に構築される。
【０００４】
ついで、これらの図に示す多層階建築物の構築方法について説明する。
まず、図３２に示すように、地盤Ｇ中に構築された基礎１上に、前記空間部Ｐを形成するための複数の柱２を立ち上げ、これらの柱２上に前記床スラブＳ用の型枠３を組み上げた後に、この型枠３内に配筋を行なって（図示略）コンクリートＣを打設し、このコンクリートが所定強度を発現した時点で前記型枠３を取り外して、図３３に示すように最下層階（２階部分）の床スラブＳ１を構築する。
なお、図３２において符号Ｊは、前記型枠３を支持するための支保工を示す。
【０００５】
このように構築された前記床スラブＳ１は、その両側部の一方が廊下Ｄで、他方がベランダＥとなされ、中央部が居住領域Ｆとなされている。
【０００６】
ついで、図３３に示すように、前記居住領域Ｆの、前記廊下ＤやベランダＥとの境界部分に、プレキャストコンクリート製の耐力壁としての壁パネル４を建て付けて、図３４に示すように、前記居住領域Ｆを画成する。
この壁パネル４は、予め工場等において製作されて建築現場へ搬入された後に、クレーン等を用いて、前記床スラブＳ１の所定位置に設置され、適宜の接続方法を用いて前記床スラブＳ１に建て付けられる。
【０００７】
これより、プレキャストコンクリート製の非耐力壁である手摺り５を、図３４および図３５に示すように、前記床スラブＳ１の各端縁に建て付けて最下層階の施工を完了する。
この手摺り５の建て付けは、前述した壁パネル４と同様の方法で行なわれ、これらの壁パネル４や手摺り５の建て付けは、２階部分の床スラブＳ１の全領域にわたって行なわれる。
【０００８】
つぎに、構築された２階部分の床スラブＳ１上に多数の支保工Ｊや、先行して建て付けられている前記壁パネル４を支持体として、図３５に示すように、直上階（３階部分）の床スラブ用型枠３を組み上げ、この型枠３内に配筋を行なった後に、図３６に示すようにコンクリートを打設することにより、３階部分の床スラブＳ２を構築する。
【０００９】
この後に、構築された前記３階部分の床スラブＳ２に、図３７に示すように、壁パネル４を建て込み、その後に、図３７および図３８に示すように、手摺り５を建て込んで３階部分の施工を完了する。
【００１０】
さらに、前記３階部分の床スラブＳ２上に、この床スラブＳ２上に建て込まれた壁パネル４および床スラブ２上に立て付けられた多数の支保工Ｊを支持体として、図３９に示すように４回部分の床スラブ用型枠３を組み上げ、以降、同様の工程で上層階の構築を行ない、多層階建築物を構築する。
【００１１】
【特許文献１】
特開２００２−３７１５１９号公報
【００１２】
【発明が解決しようとする課題】
ところで、前述した従来の構築方法にあっては、次のような改善すべき問題点が残されている。
すなわち、従来の構築方法では、まず、床スラブＳを先行構築し、この床スラブＳ上に壁パネル４や手摺り５を順次建て付けるようにしているが、この壁パネル４や手摺り５の建て付け作業を床パネルＳ上で行なう際に、図３７において３階部分に例示するように、この床パネルＳの周縁部が開放され、防護設備のない状態であるために、安全性の確保が難しい。
【００１３】
また、特に、前記手摺り５の建て付けに際して、この手摺り５と床スラブＳとの目地６が、図４０に示すように、手摺り５の幅方向全長にわたって形成され、この目地６に対する仕上げ処理や防水処理等の作業が、手摺り５の外面側の作業として行なわれる。
この作業を床スラブＳ上から行なおうとすると、前記手摺り５の上端部から外側へ向けて屈み込むようにして行なわなければならず、作業性が悪いばかりでなく、安全面で好ましくない。
【００１４】
さらに、上層階の床スラブ用型枠３の組み上げ作業においても、図３６に示すように、建て込まれている手摺り５よりも上方の作業であり、かつ、前述したように作業者保護のための防護設備がないことから安全性の確保という点から好ましくない。
【００１５】
そして、このような不具合は、上層階に行くにしたがい作業領域が高所となることからその対策が必要である。
【００１６】
一方、このような不具合への対処策として、従来では、図３９に示すように、建築物の側部に架設足場Ｉを組み上げ、この架設足場Ｉ上で前述した手摺り５の建て付けや目地６の処理作業、あるいは、型枠３の組立作業を行なうことが実施されている。
【００１７】
しかしながら、前述した架設足場Ｉにあっては、作業員の作業領域や歩行領域となる踏み板部分の幅が短く、また、前記踏み板を支持する支柱用の補強部材が踏み板側に突出して作業領域や歩行領域がさらに狭くなっており、この結果、作業員の動きが制約され、あるいは、歩行の円滑性が損なわれているといった解決すべき課題が残されている。
【００１８】
本発明は、作業員の作業や歩行の安全性を高めつつ施工性に優れた多層階建築物の構築方法を提供することにより、従来において残されている課題を解決せんとするものである。
【００１９】
【課題を解決するための手段】
本発明の請求項１に記載の多層階建築物の構築方法は、前述した課題を解決するために、多層階建築物の上下階を画成する床スラブと、この床スラブの外端部に建て付けられるプレキャストコンクリート製の非耐力壁とを備える多層階建築物の構築方法であって、前記非耐力壁を、多層階建築物の階高と略等しい高さとするとともに、その高さ方向の途中に、同一階の前記床スラブを形成するための床スラブ用型枠が突き当てられてこの床スラブ用型枠の一部を構成するようにし、かつ、前記床スラブ用型枠が突き当てられる部分に、前記床スラブから上方へ突出してこの床スラブの外端部の上部を閉塞する目隠し部を形成し、この目隠し部の幅方向両端下部に、前記床スラブの下方に延びる連結壁部を形成しておき、下層階に建て付けられた前記非耐力壁の前記目隠し部の上に、上層階の非耐力壁を、前記連結壁部を介して建て付けた後に、この上層階の非耐力壁の内側で、その高さ方向の途中に、この非耐力壁を型枠の一部として上層階の床スラブ用型枠を組み上げ、この床スラブ用型枠内にコンクリートを打設して上層階の床スラブを構築することにより、前記非耐力壁の目隠し部を前記床スラブの外端部から上方に立ち上げることを特徴とする。
本発明の請求項２に記載の多層階建築物の構築方法は、請求項１に記載の前記上層階の非耐力壁の建て付けに先立って、前記下層階の床スラブ上に、下層階の部屋を画成する耐力壁を建て付けることを特徴とする。
本発明の請求項３に記載の多層階建築物の構築方法は、請求項１または請求項２に記載の前記上層階の非耐力壁に、前記上層階の床スラブ用型枠内へ突出する接続鉄筋を設けておき、この接続鉄筋を、前記上層階の床スラブ用型枠内に打設されるコンクリート内に埋め込むことにより、前記上層階の非耐力壁と床スラブとを接合することを特徴とする。
本発明の請求項４に記載の多層階建築物の構築方法は、請求項１ないし請求項３の何れかに記載の前記上下の非耐力壁同士の接合部において、これらの非耐力壁の何れか一方に、接合方向に沿う金属スリーブを埋設するとともに、この金属スリーブを前記接合部に連通させておき、他方に、前記金属スリーブ内に挿入される接続鉄筋を突設しておき、この接続鉄筋を前記金属スリーブ内に挿入した後に、この金属スリーブ内にグラウト材を充填して硬化させることにより、前記上下の非耐力壁を接合することを特徴とする。
本発明の請求項５に記載の多層階建築物の構築方法は、請求項１ないし請求項４の何れかに記載の前記上層階の床スラブ用型枠内にコンクリートを打設するのに先立って、この上層階の床スラブ用型枠の一部を構成する上層階の非耐力壁を、その内側に位置する構造物にサポートを介して連結することを特徴とする。
本発明の請求項６に記載の多層階建築物の構築方法は、請求項５に記載の前記構造物が前記下層階の床スラブであることを特徴とする。
本発明の請求項７に記載の多層階建築物の構築方法は、請求項５に記載の前記構造物が、前記下層階の床スラブ上に建て付けられた耐力壁であることを特徴とする。
本発明の請求項８に記載の多層階建築物の構築方法は、請求項１ないし請求項７の何れかに記載の前記非耐力壁が手摺りであることを特徴とする。
本発明の請求項９に記載の多層階建築物の非耐力壁は、多層階建築物の床スラブの外端部に建て付けられるプレキャストコンクリート製の非耐力壁であって、多層階建築物の階高と略等しい高さを有し、かつ、その高さ方向の途中に同一階の前記床スラブを形成するための床スラブ用型枠が突き当てられることにより、前記床スラブ用型枠の一部を構成するようになされているとともに、前記床スラブ用型枠が突き当てられる部分に、前記床スラブから上方へ突出してこの床スラブの外端部の上部を閉塞する目隠し部が形成され、この目隠し部の幅方向両端下部に、前記床スラブの下方に延びる連結壁部がそれぞれ形成されていることを特徴とする。
本発明の請求項１０に記載の多層階建築物の非耐力壁は、請求項９に記載の前記連結壁部が上下方向に分割されて、上下の非耐力壁を接合する連結ブロックとなされていることを特徴とする。
本発明の請求項１１に記載の多層階建築物の非耐力壁は、請求項９または請求項１０の何れかに記載の前記非耐力壁が手摺りであることを特徴とする。
【００２０】
【発明の実施の形態】
以下、本発明の一実施形態について、図１ないし図１５を参照して説明する。
なお、本実施形態における多層階建築物の基本構成は、図３２ないし図４０に示した従来の多層階建築物と同様の構成として説明する。
すなわち、非耐力壁として手摺りを例示し、かつ、１階部分に駐車場等の空間部を有する多層階建築物に適用した例について説明し、共通部分については同一符号を用いて説明を簡略化する。
【００２１】
まず、本実施形態に係わる多層階建築物の構築方法の説明に先立って、この構築方法に好適に用いられる非耐力壁としての手摺りの構成について、図１を参照して説明する。
【００２２】
図１および図２において符号２０で示す本実施形態に係わる手摺りは、多層階建築物Ｂの階高Ｈと略等しい高さを有し、図３に示すように、その高さ方向の途中に同一階の床スラブＳを形成するための床スラブ用型枠３が突き当てられて（図１および図２においては、床スラブ用型枠３によって構築された床スラブＳが突き当てられた状態を示してあり、前記床スラブ用型枠３は、前記床スラブＳを取り囲んで設置される）、この床スラブ用型枠３の一部を構成するようになされていることを基本構成としている。
【００２３】
詳述すれば、前記手摺り２０は工場等で予め成形されるプレキャストコンクリート製の手摺りであって、内部に多数の鉄筋が埋め込まれて（図示略）、所定強度が確保されている。
【００２４】
図１ないし図３に示すように、前記手摺り２０は、同一階の床スラブ用型枠３が突き当てられる部分に、床スラブＳから少なくとも上方へ突出してこの床スラブＳの外端部の上部を閉塞する目隠し部２１が形成されているとともに、この目隠し部２１の幅方向両端下部に、同一階の床スラブＳの下方へ延びる連結壁部２２がそれぞれ形成された構成となっている。
【００２５】
前記各連結壁部２２は、断面が矩形状に形成されており、この各連結壁部２２に連続する前記目隠し部２１の両端部は、その厚みが前記各連結壁部２２の厚みと同等となされ、各連結壁部２２から目隠し部２１の両端を貫通するように２本の主筋２３がそれぞれ埋め込まれている。
また、前記目隠し部２１の、前記連結壁部２２に連続する部位以外の部位は、その厚みが薄く形成されており、この肉薄の部分には、手摺り２０の重量軽減や採光、あるいは、視野の拡大等を目的とした多数のスリット２４が形成されている。
【００２６】
前記各連結壁部２２の下部内方には、前記各主筋２３と同軸状に金属スリーブ２５が埋め込まれている。
これらの金属スリーブ２５は、図４および図５に詳述するように、その下端が前記各連結壁部２２の下端面に開口され、また、上端部には、前記主筋２３の下端部が所定長さ挿入されるとともに、この主筋２３が溶接等によって連結されている。
さらに、前記各金属スリーブ２５には、その軸方向に間隔をおいた２箇所の側壁に、この金属スリーブ２５の内部に連通させられた注入管２６が取り付けられており、これらの注入管２６は、前記連結壁部２２の、建築物の内側の面から外部へ突出させられている。
【００２７】
また、前記手摺り２０の目隠し部２１の上端には、前記主筋２３の端部が所定長さ突出させられており、この突出させられている主筋２３の端部を接続鉄筋として、上層階の手摺り２０と下層階の手摺り２０とが接合されるようになっている。
すなわち、上層階の手摺り２０を下層階の手摺り２０上に接合する際に、下層階の手摺り２０から突出する前記主筋２３が、図５に示すように、上部に積層される上層階の手摺り２０の連結脚部２２に埋設されている金属スリーブ２５の下端部へ所定長さ挿入され、この後に、図５に矢印で示すように、前記金属スリーブ２５内にグラウト材としての高強度の無収縮性モルタルが注入され、この無収縮性モルタルの硬化によって、前記下層階の主筋２３が前記金属スリーブ２５を介して上層階の主筋２３へ接合され、これによって、下層階の手摺り２０と上層階の手摺り２０とが接合される。
【００２８】
さらに、前記金属スリーブ２５の内部で、長さ方向の略中間部には内方突起２５ａが周方向に間隔をおいて複数突設されており、これらの内方突起２５ａは、挿入される主筋２３の挿入長さ、すなわち、飲み込み長さを規制するとともに、付き合わされる下層階の手摺り２０と上層階の手摺り２０との間に形成される目地２７の寸法を規制するようになっている。
【００２９】
なお、図４および図５において符号２８は、前記金属スリーブ２５を取り囲んで配設されるスパイラル筋であり、この金属スリーブ２５とともに前記手摺り２０のコンクリート中に埋め込まれて一体化されることにより、前記金属スリーブ２５とコンクリートとの接合強度を高めるようになっている。
【００３０】
また、図３において符号２９は、前記手摺り２０の内側に、前記床スラブ用型枠３が組み上げられた際に、この床スラブ用型枠３内に突出させられて、床スラブ用型枠３内に打設される床スラブ用コンクリートと一体化される接続鉄筋を示す。
この接続鉄筋２９は、前記手摺り２０の内側（建築物躯体側）で、前記床スラブ用型枠３が付き合わされる部位に、手摺り２０の幅方向に所定間隔をおいて多数設けられ、その基部は、前記手摺り２０内に配設されている鉄筋（図示略）へ接続されている。
【００３１】
ついで、このように構成された手摺り２０を用いた多層階建築物Ｂの構築方法について、図６ないし図１５を参照して説明する。
【００３２】
本実施形態が適用される多層階建築物は、前述した従来の多層階建築物と同様に、最下層階（２階部分）の床スラブＳ１の下方の１階部分に、駐車場等に使用される空間部Ｐを備え、前記床スラブＳの両側縁部に、後述する非耐力壁としての、前述した構成のプレキャストコンクリート製の手摺り２０が設けられ、これらが多層状に構築される。
【００３３】
詳述すれば、まず、図６に示すように、基礎１上に、複数の柱２、梁７、および、これらの柱２と梁７上に構築された最下層階（２階部分）の床スラブＳ１とによって空間部Ｐが形成される。
【００３４】
ついで、図６および図７に示すように、前記居住領域Ｆの、前記廊下ＤやベランダＥとの境界部分に、プレキャストコンクリート製の耐力壁としての壁パネル４を建て付けて、図６に示すように、前記居住領域Ｆを画成する。
【００３５】
ついで、前記床スラブＳ１の両端縁に、図６および図７に示すように、手摺り５を建て付けるのであるが、この最下層階の手摺りは従来と同様の構成であり、これらの手摺り５を前記床スラブＳ１の各端縁の上面に建て付けて２階部分の施工を完了する。
【００３６】
このようにして、２階部分の床スラブＳ１上に、壁パネル４および手摺り５を建て付けた後に、前記各手摺り５上に、図６および図８に示すように、本実施形態の手摺り２０を順次吊り上げて所定位置に位置合わせしつつ下降させて、下方の手摺り５に接合することにより、図９に示すように、前記手摺り５上に手摺り２０を建て付ける。
【００３７】
このような両手摺り５と手摺り２０との接合は次の手順で行なわれる。
図４に示すように、下方の手摺り５と上方の手摺り２０とを、下方の手摺り５の上面から突出する主筋２３に、上方の手摺り２０の連結壁部２２の下部に埋設されている金属スリーブ２５とが同軸となるように位置合わせした後に、上方の手摺り２０を下降させて、図５に示すように、前記各金属スリーブ２５内に前記各主筋２３を挿入させつつ付き合わせる。
ここで、前記金属スリーブ２５内に挿入された下方の手摺り２０の主筋２３は、前記金属スリーブ２５の内部に突設されている内方突起２５ａに当接させられることによって、その挿入長さ、すなわち飲み込み長さが規制される。
この結果、前記下方の手摺り５と上方の手摺り２０との間に所定の隙間、すなわち目地２７が形成される。
【００３８】
これより、前記金属スリーブ２５内に、下方の注入管２６を介して高強度の無収縮性モルタルを注入して、前記金属スリーブ２５と上下の主筋２３との間の隙間に充満させて硬化させる。
これによって、上下の主筋２３と金属スリーブ２５とが強固に連結されることとなり、この結果、前記上下の手摺り５と手摺り２０とが強固に接合される。
【００３９】
ここで、前記目地２７部分においては、前記金属スリーブ２内に注入される無収縮性モルタルを前記目地２７部分まで注入するか、あるいは、両手摺り５・２０の接合に先立って、下方の手摺り２０の突き合わせ面上に敷きモルタルを盛っておくことにより塞がれる。
【００４０】
ついで、前記目地２７の外面処理を行なって、両手摺り５・２０の接合部の仕上げ処理を行なう。
【００４１】
このような両手摺り５・２０の位置合わせ作業や突き合わせ作業、前記金属スリーブ２５への無収縮性モルタルの注入作業は、前記床スラブＳ１上で行なわれるが、この床スラブＳ１の側縁部には下方の手摺り５が立ち上げられて、実質的に作業領域である床スラブＳ１の側縁が前記手摺り５によって塞がれていることから、作業者の安全性が高められ、あるいは、前記床スラブＳ２上に落とした物が、この床スラブＳ２の側縁部まで転がった場合にあっても、前記手摺り５によって捕捉されて下方への落下が防止される。
【００４２】
また、本実施形態においては、両手摺り５・２０との目地２７部分の仕上げ処理を行なう場合においても、この目地２７部分が、下方の手摺り５の上面の高さにあることから、作業員は、屈むような無理な姿勢をとることなく楽な姿勢で、手摺り５の内側から作業を行なうことができる。
しかも、目地仕上げ作業中において、作業員は、床スラブＳ１の端縁において、下方の手摺り５によって保護された状態で作業を行なうことができ、また、前記目地２７の幅が短く、手摺り５の内側から容易に手が届く範囲の作業であるので、その作業の安全性が確保される。
【００４３】
このように、２階部分の手摺り５上に上方の手摺り２０を建て付けた後に、これらの手摺り２０の内側に、上層階（３階部分）の床スラブ用型枠３を組み上げるのであるが、この床スラブ用型枠３の組み付けに先立って、図１０に示すように、前記各手摺り２０と下方の床スラブＳ１との間にサポート３０を設置して各手摺り２０の倒れ方向の支持を行なう。
【００４４】
前記サポート３０は前記手摺り２０の倒れ方向の支持を目的としているが、その機能を確保するためには、前記床スラブＳ１に対する設置角度が重要となる。
そして、この設置角度を適正に確保しようとすると、前記サポート３０と、床スラブＳ１の内側に建て込まれている壁パネル４とが干渉してしまう場合がある。
その場合には、図１０に示すように、前記サポート３０を、前記壁パネル４に形成されている開口部（窓や玄関等の出入り口を設置するために設けられている）を通して壁パネル４の内側へ引き込むことによって対処可能である。
【００４５】
ついで、前記床スラブＳ１上に多数の支保工Ｊを設置し、これらの支保工Ｊ、および、既に立て付けられている壁パネル４を支持体として上層階（３階部分）の床スラブ用型枠３を、図１０および図１１に示すように組み上げる。
【００４６】
そして、この床スラブ用型枠３は、図１０に示すように、その側縁部が前記各手摺り２０の目隠し部２１の内側に突き合わされて、この手摺り２０が前記床スラブ用型枠３の一部を構成するようになっている。
【００４７】
また、必要に応じて前記上方の手摺り２０の上端部にワイヤ３１の一端部を固定し、このワイヤ３１の他端部を、前記床スラブ用型枠３を貫通させた後に前記床スラブＳ１に固定することによって、前記手摺り２０の倒れ防止、あるいは、後述するように前記床スラブ用型枠３内に打設されるコンクリートの打設圧に対するずれ防止を行なう。
【００４８】
このワイヤ３１は、前述したように前記床スラブ用型枠３を貫通させることとなるが、前記床スラブ用型枠３の、前記貫通部分にスリーブ等を設置しておき、このスリーブを通して前記ワイヤ３１を設置し、コンクリート打設後にワイヤ３１を除去することによって床スラブＳ１に影響されることなく設置可能である。
また、ワイヤ３１を除去した後に、前記スリーブを目地モルタル等によって塞ぐことにより、前記床スラブＳ１の外観を整えることができる。
【００４９】
ついで、前記床スラブ用型枠３内に図示しない配筋を行なった後に、図３６に示すようにコンクリートを打設することにより、図１２および図１３に示すように、３階部分の床スラブＳ２を構築する。
この後に、構築された前記３階部分の床スラブＳ２に、図１４に示すように、壁パネル４を建て込んで３階部分の施工を完了する。
【００５０】
ここで、隣り合う手摺り２０間には、数センチ程度の目地が鉛直方向に形成され、この目地を介して前記床スラブ用型枠３内のコンクリート打設空間が外部へ連通させられ、この目地部分から前記床スラブ用型枠３内に打設されたコンクリートの水分が漏れることが考えられるために、前記コンクリートの打設に先立って、この目地部分の内側にシール材を詰め込んでおく。
【００５１】
このような上層階の床スラブＳのコンクリートを打設するに際して、前述したように、床スラブ用型枠３の一部を構成する手摺り２０が、サポート３０や必要に応じて設置されるワイヤ３１によって支持されていることから、コンクリートの打設圧等による前記手摺り２０の位置ずれが防止される。
【００５２】
さらに、図１４および図１５に示すように、前記３階部分の床スラブＳ２上に、図１０および図１１に示す方法により床スラブ用型枠３を組み上げるとともにコンクリートを打設して４階部分の床スラブを構築し、以降、同様の工程で順次上層階の構築を行なって多層階建築物を構築する。
【００５３】
そして、各階毎の床スラブ用型枠３の組立作業等における床スラブ用型枠３の下方の作業においても、その作業領域となる床スラブＳの端縁に、手摺り２０の目隠し部２１が上方へ立ち上げられ、また、床スラブ用型枠３の上方での組立作業や配筋作業にあっても、その側端縁部から上方に向かって手摺り２０の目隠し部２１が立ち上げられていることにより、この手摺り２０の目隠し部２１が保護柵となって、物品の落下が防止されるとともに作業者の作業や歩行の安全性が確保される。
また、前述した作業足場が下層階の床スラブＳ上やその上方の型枠上であることから、その作業領域が広く確保されて作業性が向上する。
【００５４】
しかも、前記手摺り２０が、床スラブ用型枠３の一部として用いられていることにより、この床スラブ用型枠３の、床スラブＳの端縁側における枠組み作業が不要となる。
したがって、各階ごとの諸作業の殆んどが、建築物の躯体の内側での作業となり、従来必要とされていた、躯体の外部に設置される架設足場が不要となる。
この結果、架設足場の設置作業や撤去作業が不要になることにより、事故の発生確率が大幅に低減され、かつ、全体としての施工費が軽減される。
また、架設足場が不要となることにより、建築現場における強風時の対策が極めて容易なものとなる。
【００５５】
ここで、前記手摺り２０の支持をなす前記サポート３０やワイヤ３１は、その内側の固定部位として、前述した下層階の床スラブＳ以外に、この床スラブＳ上に建て込まれている壁パネル４とすることもできる。
【００５６】
ついで、本発明の第２の実施形態について図１６ないし図２１を参照して説明する。
【００５７】
これらの図において符号４０は、本実施形態に係わる手摺りを示す。
この手摺り４０は、目隠し部２１の下方に連設されている各連結壁部２２の端部を分割して連結ブロック４１としたものであり、この連結ブロック４１を介して上下の手摺り４０を接合するようにしたものである。
【００５８】
このような構成とするのは以下の理由による。
すなわち、工場で生産した手摺り２０はトラックで建築現場へ搬入しなければならないが、前述したように手摺り２０の高さを多層階建築物Ｂの階高に合わせた場合、トラックの積載高さが道路交通法に定められている規制高さを超えてしまうことがある。
このために、前記連結壁部２２を上下に分割することにより、手摺りのトラック積載時の高さを抑えるようにしたものであり、したがって、前記連結ブロック４１の高さは、階高と前記規制された積載高さとの関係で設定される。
【００５９】
さらに詳述すれば、本実施形態においては、前記手摺り４０の幅方向両端部には、上下方向に沿ってそれぞれ２本の平行な主筋２３が設けられ、これらの各主筋２３は、前記連結壁部２２の下端および目隠し部２１の上端から所定長さ突出させられて接続鉄筋となされている。
【００６０】
前記連結ブロック４１の内部には、前記実施形態において示した金属スリーブ２５と同様の金属スリーブ２５が、図１８に示すように、上下に開口した状態で並行に一対埋設されており、これらの各金属スリーブ２５の外周部を取り囲むようにしてスパイラル筋２８が配設されている。
また、各金属スリーブ２５の内面の長さ方向中間部には内方突起２５ａが設けられ、さらに、側壁には、その内部に連通する一対の注入管２６が長さ方向に間隔をおいて取り付けられている。
そして、これらの各注入管２６は、前記連結ブロック４１の外部へ突出させられており、この連結ブロック４１は、前記注入管２６が建築物の内側へ向くように建て付けられるようになっている。
【００６１】
本実施形態においては、図１６に示すように、下方の手摺り４０（５）上に連結ブロック４１を積層し、さらに、この連結ブロック４１上に上方の手摺り４０を積層して接合される。
前記手摺り４０が４階部分まで構築された状態を図１７に示す。
【００６２】
各階毎の接合方法について詳述すれば、図１８に示すように、前記連結ブロック４１を、その金属スリーブ２５が下方の手摺り４０の主筋２３と同軸となるように位置合わせした後に下降させて、前記主筋２３を金属スリーブ２５内に下方から挿入する。
【００６３】
ついで、上方の手摺り４０を、その下方から突出する主筋２３が連結ブロック４１の金属スリーブ２５と同軸となるように位置合わせした後に下降させることにより、前記主筋２３を金属スリーブ２５内に上方から挿入する。
このような設置作業において、前記各主筋２３の先端が金属スリーブ２５内の内方突起２５ａに当接することによってそれぞれの相対位置が規制され、図１９に示すように、それぞれの対向面間に所定間隔の目地２７が形成される。
【００６４】
これより、前記下方の注入管２６から前記金属スリーブ２５の内部へ高強度の無収縮性モルタルを注入する。
この無収縮性モルタルが硬化することよって、上下の手摺り４０が、前記金属スリーブ２５および各主筋２３を介して、前記連結ブロック４１を挟み込むようにして接合される。
【００６５】
この後に、前記目地２７に対する仕上げ処理が行なわれるのであるが、この目地２７部分は、図１９に示すように、環状のパッキン４２を介装しておき、その内部に前記注入管２６から注入される無収縮性モルタルを充満させるか、あるいは、予め、敷きモルタルを盛りつけておき、手摺り４０や連結ブロック４１のつき合わせを行なった後に、はみ出した敷きモルタルの処理を行なうか、あるいは、前記パッキン４２の内側に敷きモルタルを盛りつけておき、このパッキン４２によって、前記手摺り４０や連結ブロック４１の接合時における前記敷きモルタルの外部へのはみ出しを防止するといった処理が可能である。
【００６６】
そして、前記連結ブロック４１は、図２０に示すように、略四角錐台状に形成したり、図２１に示すように側部に丸みをつけたりすることにより、意匠的な効果を付与することもできる。
【００６７】
図２２ないし図２５は、前述した第２の実施形態の変形例である。
この変形例においては、連結ブロック４３に上下方向の貫通孔４４を形成し、下方の手摺り４０に設けられる主筋２３の、手摺り４０の上端からの突出長さを、前記連結ブロック４３の高さ分延長しておき、さらに、上方の手摺り４０の連結壁部２２の下端部に、金属スリーブ２５を埋設した構成としておく。
【００６８】
そしてこの変形例における上下の手摺り４０と連結ブロック４３の接合は、以下の手順で行なわれる。
まず、図２４に示すように、前記連結ブロック４３を下方の手摺り４０上に、連結ブロック４３を、その貫通孔４４内に下方の手摺り４０から突出する主筋２３を下方から貫通させつつ設置する。
このとき、下方の手摺り４０の、前記連結ブロック４３との突き合わせ部には敷きモルタルを盛りつけておく。
【００６９】
ここで、連結ブロック４３を下方の手摺り４０上に設置した状態で、下方の手摺り４０の上方から突出する主筋２３は、前記連結ブロック４３を貫通してこの連結ブロック４３の上方へ突出させられており、必要に応じて、前記連結ブロック４３の貫通孔４４内にモルタルを注入して、この貫通孔４４と主筋２３との隙間を埋める。
【００７０】
これより、図２５に示すように、前記連結ブロック４３上に、上方の手摺り４０を、その下端部に取り付けられている金属スリーブ２５内に、前記連結ブロック４３の上方に突出している主筋２３を挿入しつつ設置する。
必要に応じ、この上方の手摺り４０の設置に先立って、その下方に位置する連結ブロック４３の上面に敷きモルタルを盛りつけた後に、前記連結ブロック４３と上方の手摺り４０とを突き合わせる。
【００７１】
ついで、図２５に矢印で示すように、前記金属スリーブ２５内に、下方の注入管２６から高強度の無収縮性モルタルを注入して硬化させることにより、上下の手摺り４０と連結ブロック４３が相互に接合される。
【００７２】
このような構成とすることにより、前述した金属スリーブ２５を内装した前記連結ブロック４１では、製造上の問題から、その高さが金属スリーブ２５の高さによって制限されるが、本変形例では、前記金属スリーブ２５による制約がなくなり、高さ設定の自由度が大きくなる利点がある。
【００７３】
さらに、図２６ないし図２８は、図２２に示す連結ブロック４３の製造方法の一例である。
この製造方法は、断面形状が矩形状の環状ブロック４５を用い、この環状ブロック４５を基盤Ｘ上にセットし、前記環状ブロック４５内の所定位置に金属管４６をセットし、これらの金属管４６と前記環状ブロック４５との間にコンクリート４７を打設して、前記金属管４６と環状ブロック４５を一体化するものである。
【００７４】
このような連結ブロック４３の製造方法において、前記金属管４６を除去可能な構成とすることによって、図２２に示すような、コンクリートのみの連結ブロックとすることも可能である。
【００７５】
図２９および図３０は本発明の第３の実施形態を示すものである。
本実施形態に示す手摺り５０は、前記各実施形態において示した手摺り２０・４０の目隠し部２１に改良を加えたもので、図２９に示すように、この目隠し部２１の中央部に開口５１を形成し、この開口５１内に、図３０に示すように、アルミニウム合金製あるいは合成樹脂製の格子５２を取り付けた構成としたものである。
【００７６】
前記格子５２は、手摺り５０の本体部分を製作した後に、前記開口５１内に固定金具を用いて取り付けたり、あるいは、手摺り５０の本体部分の製作用型枠内に前記格子２を設置しておき、前記型枠内に打設されるコンクリートと一体化する方法等によって取り付けられる。
【００７７】
このように構成された本実施形態に係わる手摺り５０は、重量集中部分となる目隠し部２１の軽量化を図る目的と、手摺り部分の開口面積を大きくして、廊下ＤやベランダＥからの視野を拡大する目的、また、採光性を良好にする目的等に基づいて改良されたものである。
【００７８】
なお、前述した各実施形態において示した各構成部材の諸形状や寸法等は一例であって、設計要求等に基づき種々変更可能である。
たとえば、前記実施形態において、床スラブ用コンクリート打設時における手摺り２０の傾倒防止構造として、ワイヤ３１を用いた例について示したが、これに代えて、図３１に示すように、前記手摺り２０の内面側に突設されている接続鉄筋２９を、床スラブ用型枠３に組み込まれた床スラブ用鉄筋７０に点溶接等によって接続することにより、前記手摺り２０の支持を行なうようにしてもよい。
また、図１２および図１３に示すように、前記手摺り２０を建て付けた後に、この手摺り２０の内側に、開口部である両連結壁部２２間を覆うように防護ネットＮを取り付けるようにしてもよい。
この防護ネットＮは、前記手摺り２０の内側にフックを介して取り付けるか、あるいは、下方に位置する手摺り２０のスリット２４にロープによって固定する方法等によって設置される。
このように防護ネットＮを設置することによって、手摺り２０の開口部を極力なくして、作業の安全性をより一層高めることができる。
【００７９】
【発明の効果】
以上説明したように、本発明の請求項１ないし請求項８に記載の多層階建築物の構築方法によれば、前記非耐力壁を、多層階建築物の階高と略等しい高さとするとともに、その高さ方向の途中に、同一階の前記床スラブを形成するための床スラブ用型枠が突き当てられてこの床スラブ用型枠の一部を構成するようにし、かつ、前記床スラブ用型枠が突き当てられる部分に、前記床スラブから上方へ突出してこの床スラブの外端部の上部を閉塞する目隠し部を形成し、この目隠し部の幅方向両端下部に、前記床スラブの下方に延びる連結壁部を形成しておき、下層階に建て付けられた前記非耐力壁の前記目隠し部の上に、上層階の非耐力壁を前記連結壁部を介して建て付けた後に、この上層階の非耐力壁の内側で、その高さ方向の途中に、この非耐力壁を型枠の一部として上層階の床スラブ用型枠を組み上げ、この床スラブ用型枠内にコンクリートを打設して上層階の床スラブを構築するようにしたから、つぎのような優れた効果を奏する。
上層階の施工作業を行なうのに先立って、この上層階の作業領域の側縁部に、既に構築された下層階の構築物によって支持された非耐力壁を立ち上げておくことができ、また、上層階の床スラブの構築においても、この床スラブ構築用型枠の外端部の上部を覆うように、前記非耐力壁の目隠し部が立ち上げられる。
したがって、上層階の作業領域の外端部に、前記非耐力壁による保護柵を先行形成することができる。
この結果、作業領域の側縁部からの物品の落下を防止することができるとともに、施工作業時や歩行時における作業者の安全性を確保することができる。
また、前記非耐力壁を、床スラブ用型枠の一部として用いることにより、この床スラブ用型枠の、床スラブの端縁側における型枠組み上げ作業が不要となる。
したがって、各階ごとの諸作業の殆んどを非耐力壁の内側、換言すれば、構築される建築物の躯体の内側での作業とすることができ、従来必要とされていた、躯体の外部に設置される架設足場を不要にすることができる。
本発明の請求項９ないし請求項１１に記載の多層階建築物の非耐力壁によれば、多層階建築物の階高と略等しい高さを有し、かつ、その高さ方向の途中に同一階の前記床スラブを形成するための床スラブ用型枠が突き当てられることにより、前記床スラブ用型枠の一部を構成するようにし、前記床スラブ用型枠が突き当てられる部分に、前記床スラブから上方へ突出してこの床スラブの外端部の上部を閉塞する目隠し部を形成し、この目隠し部の幅方向両端下部に、前記床スラブの下方に延びる連結壁部をそれぞれ形成したことにより、前述した本発明の多層階構築物の構築方法を実施する際に、作業領域に対する防護柵を容易に形成することができる。
そして、前記目隠し部の幅方向両端下部に、同一階の床スラブの下方へ延びる連結壁部を形成したことにより、上層階の床スラブと下層階の床スラブとの間に開口部を形成して、採光性を確保することができる。
また、本発明の請求項１０に記載の多層階建築物の非耐力壁によれば、連結壁部を上下方向に分割して、上下の非耐力壁を接合する連結ブロックとしたことにより、非耐力壁の搬送時における高さを抑制することができる。
【図面の簡単な説明】
【図１】  本発明の第１の実施形態を示すもので、多層階建築物の一部の正面図である。
【図２】  本発明の第１の実施形態を示すもので、多層階建築物の一部の縦断面側面図である。
【図３】  本発明の第１の実施形態を示す手摺りの外観斜視図である。
【図４】  本発明の第１の実施形態を示すもので、上層階の手摺りと下層階の手摺りとの接合前の状態を示す拡大縦断面図である。
【図５】  本発明の第１の実施形態を示すもので、上層階の手摺りと下層階の手摺りとの接合状態を示す拡大縦断面図である。
【図６】  本発明の第１の実施形態が適用された多層階構築物の構築手順を示す拡大縦断面図である。
【図７】  本発明の第１の実施形態が適用された多層階構築物の構築手順を示す正面図である。
【図８】  本発明の第１の実施形態が適用された多層階構築物の構築手順を示す正面図である。
【図９】  本発明の第１の実施形態が適用された多層階構築物の構築手順を示す正面図である。
【図１０】  本発明の第１の実施形態が適用された多層階構築物の構築手順を示す縦断面側面図である。
【図１１】  本発明の第１の実施形態が適用された多層階構築物の構築手順を示す正面図である。
【図１２】  本発明の第１の実施形態が適用された多層階構築物の構築手順を示す縦断面側面図である。
【図１３】  本発明の第１の実施形態が適用された多層階構築物の構築手順を示す正面図である。
【図１４】  本発明の第１の実施形態が適用された多層階構築物の構築手順を示す縦断面側面図である。
【図１５】  本発明の第１の実施形態が適用された多層階構築物の構築手順を示す正面図である。
【図１６】  本発明の第２の実施形態が適用された多層階構築物の構築手順を示す正面図である。
【図１７】  本発明の第２の実施形態が適用された多層階構築物の一部を示す正面図である。
【図１８】  本発明の第２の実施形態を示すもので、上部手摺りと下部手摺りと連結ブロックとの接合前の状態を示す拡大縦断面図である。
【図１９】  本発明の第２の実施形態を示すもので、上部手摺りと下部手摺りと連結ブロックとの接合状態を示す拡大縦断面図である。
【図２０】  本発明の第２の実施形態の変形例を示すもので、上部手摺りと下部手摺りと連結ブロックとの接合部を示す外観斜視図である。
【図２１】  本発明の第２の実施形態の変形例を示すもので、上部手摺りと下部手摺りと連結ブロックとの接合部を示す外観斜視図である。
【図２２】  本発明の第２の実施形態の変形例を示すもので、上部手摺りと下部手摺りと連結ブロックとの接合前の状態を示す外観斜視図である。
【図２３】  本発明の第２の実施形態の変形例を示すもので、上部手摺りと下部手摺りと連結ブロックとの接合前の状態を示す拡大縦断面図である。
【図２４】  本発明の第２の実施形態の変形例を示すもので、上部手摺りと下部手摺りと連結ブロックとの接合途中の状態を示す拡大縦断面図である。
【図２５】  本発明の第２の実施形態の変形例を示すもので、上部手摺りと下部手摺りと連結ブロックとの接合状態を示す拡大縦断面図である。
【図２６】  本発明の第２の実施形態の他の変形例を示すもので、連結ブロックの外観斜視図である。
【図２７】  本発明の第２の実施形態の他の変形例を示すもので、連結ブロックの成形途中の状態を示す拡大縦断面図である。
【図２８】  本発明の第２の実施形態の他の変形例を示すもので、連結ブロックの拡大縦断面図である。
【図２９】  本発明の第３の実施形態を示す非耐力壁としての手摺りを示す分解斜視図である。
【図３０】  本発明の第３の実施形態を示す非耐力壁としての手摺りを示す外観斜視図である。
【図３１】  本発明の変形例を示すもので、非耐力壁の支持構造を示す要部の拡大縦断面図である。
【図３２】  従来における多層階建築物の構築方法を示す縦断面側面図である。
【図３３】  従来における多層階建築物の構築方法を示す縦断面側面図である。
【図３４】  従来における多層階建築物の構築方法を示す縦断面側面図である。
【図３５】  従来における多層階建築物の構築方法を示す縦断面側面図である。
【図３６】  従来における多層階建築物の構築方法を示す縦断面側面図である。
【図３７】  従来における多層階建築物の構築方法を示す縦断面側面図である。
【図３８】  従来における多層階建築物の構築方法を示す正面図である。
【図３９】  従来における多層階建築物の構築方法を示す縦断面側面図である。
【図４０】  従来における多層階建築物の構築方法を示す正面図である。
【符号の説明】
１  基礎
２  柱
３  床スラブ用型枠
４  壁パネル（耐力壁）
５  手摺り（非耐力壁）
６  目地
７  梁
２０  手摺り（非耐力壁）
２１  目隠し部
２２  連結壁部
２３  主筋（接続鉄筋）
２４  スリット
２５  金属スリーブ
２５ａ  内方突起
２６  注入管
２７  目地
２８  スパイラル筋
２９  接続鉄筋
３０  サポート
３１  ワイヤ
４０  手摺り
４１  連結ブロック
４２  パッキン
４３  連結ブロック
４４  貫通孔
４５  環状ブロック
４６  金属管
４７  コンクリート
５０  手摺り
５１  開口
５２  格子
７０  床スラブ用鉄筋
Ｂ  多層階建築物
Ｃ  コンクリート
Ｄ  廊下
Ｅ  ベランダ
Ｆ  居住領域
Ｇ  地盤
Ｉ  架設足場
Ｊ  支保工
Ｎ  防護ネット
Ｐ  空間部
Ｓ  床スラブ
Ｓ１  床スラブ（２階部分）
Ｓ２  床スラブ（３階部分）
Ｘ  基盤
【図１】
0003638590.tif 000002
【図２】
0003638590.tif 000003
【図３】
0003638590.tif 000004
【図４】
0003638590.tif 000005
【図５】
0003638590.tif 000006
【図６】
0003638590.tif 000007
【図７】
0003638590.tif 000008
【図８】
0003638590.tif 000009
【図９】
0003638590.tif 000010
【図１０】
0003638590.tif 000011
【図１１】
0003638590.tif 000012
【図１２】
0003638590.tif 000013
【図１３】
0003638590.tif 000014
【図１４】
0003638590.tif 000015
【図１５】
0003638590.tif 000016
【図１６】
0003638590.tif 000017
【図１７】
0003638590.tif 000018
【図１８】
0003638590.tif 000019
【図１９】
0003638590.tif 000020
【図２０】
0003638590.tif 000021
【図２１】
0003638590.tif 000022
【図２２】
0003638590.tif 000023
【図２３】
0003638590.tif 000024
【図２４】
0003638590.tif 000025
【図２５】
0003638590.tif 000026
【図２６】
0003638590.tif 000027
【図２７】
0003638590.tif 000028
【図２８】
0003638590.tif 000029
【図２９】
0003638590.tif 000030
【図３０】
0003638590.tif 000031
【図３１】
0003638590.tif 000032
【図３２】
0003638590.tif 000033
【図３３】
0003638590.tif 000034
【図３４】
0003638590.tif 000035
【図３５】
0003638590.tif 000036
【図３６】
0003638590.tif 000037
【図３７】
0003638590.tif 000038
【図３８】
0003638590.tif 000039
【図３９】
0003638590.tif 000040
【図４０】
0003638590.tif 000041